(57)【特許請求の範囲】
【請求項１】
平板状の第１のガラスと、マスクパターンが形成可能とされる第２のガラスとが剥離可能として直接接合され、
前記第１のガラスと第２のガラスとの貼り合わせ面に流体を注入して剥離するための注入部が設けられ、
前記注入部において、前記貼り合わせ面に位置する一方の開口よりも注入口となる他方の開口が、より縁部に近接するように設けられることを特徴とするマスクブランクス。
【請求項２】
前記注入部が、マスクパターンのない周縁部に設けられることを特徴とする請求項１記載のマスクブランクス。
【請求項３】
前記注入部が、矩形輪郭とされた前記第１のガラスにおけるいずれか一辺の中央位置に配置されることを特徴とする請求項１または２記載のマスクブランクス。
【請求項４】
前記注入部が、第２のガラスに設けられることを特徴とする請求項１から３のいずれか記載のマスクブランクス。
【請求項５】
前記注入部が、第１のガラスに設けられることを特徴とする請求項１から４のいずれか記載のマスクブランクス。
【請求項６】
請求項１から５のいずれかに記載のマスクブランクスにマスクパターンが形成されたことを特徴とするフォトマスク。
【請求項７】
請求項１から５のいずれかに記載されたマスクブランクスの製造方法であって、
前記第１のガラスと前記第２のガラスとを準備する準備工程と、
前記注入部を形成する注入部加工工程と、
前記第１のガラスと前記第２のガラスとの表面処理をする表面処理工程と、
前記第１のガラスと前記第２のガラスとを貼り合わせる貼り合わせ工程と、
貼り合わせたガラスを洗浄処理する洗浄工程と、
遮光層を前記第２のガラスの表面に形成する遮光層形成工程と、
を有することを特徴とするマスクブランクスの製造方法。
【請求項８】
貼り合わされた前記第１のガラスと前記第２のガラスとをそれぞれ保持する分離前工程と、
前記注入部から前記貼り合わせ面に流体を注入して、貼り合わされた前記第１のガラスと前記第２のガラスとを剥離する分離工程と、
を有することを特徴とする請求項７記載のマスクブランクスの製造方法。
【請求項９】
請求項６に記載されたフォトマスクの製造方法であって、
請求項７または８記載の製造方法によって製造されたマスクブランクスに対して、
フォトレジストを形成するレジスト形成工程と、
マスクパターンを形成するパターン形成工程と、
を有することを特徴とするフォトマスクの製造方法。
【請求項１０】
請求項９に記載されたフォトマスクの製造方法において、
請求項８に記載された前記分離工程が、フォトマスクとしてのマスクパターンを利用した露光工程後におこなわれることを特徴とするフォトマスクの製造方法。
【発明の詳細な説明】
【技術分野】
【０００１】
本発明はマスクブランクス、フォトマスク、その製造方法に関し、特に、ガラス同士の貼合・剥離を利用したリサイクル・リユース可能な貼り合わせフォトマスク、フォトマスクブランクス及びその再生に用いて好適な技術に関する。
【背景技術】
【０００２】
フォトマスクに用いられるガラス基板には低欠陥や厳しい平坦度が要求されるために精密な研磨必要が必要とされる。そのため、無研磨のガラスと比較して非常に高価である。特にFPD用途などに用いられる大型マスクは顕著であり、ガラス基板だけで数千万円以上の価格となる場合がある。
【０００３】
現在、フォトマスクとしては、精密に研磨されたガラス基板の表面上に遮光膜として例えばクロム（Ｃｒ）、タングステン（Ｗ）、モリブデンシリサイド（ＭｏＳｉ）が直接成膜された構造が知られている。
【０００４】
これらのフォトマスクのリサイクルは、まず、ペリクルが取り付けられている場合はペリクルと接着剤で固定された枠を取り外す工程、続いて、ガラス表面に設けられた遮光膜パターンを、エッチング等を用いて剥離して素ガラスの状態に戻す工程、このエッチングによりガラス表面に残った微小な凹凸（ゴーストパターン）およびマスクの使用中またはリサイクル作業の過程で発生したキズ等の表面欠陥を取り除いて、製品レベルの表面欠陥の少ない状態に戻すための研磨工程によっておこなう。
この研磨工程における精密な研磨もまた非常に高価である。
【０００５】
特許文献１にはフォトマスク用ガラス基板再生方法が記載され、特許文献２には、再生フォトマスク用基板の製造方法、再生フォトマスク用ブランクスの製造方法、再生フォトマスク及びその製造方法、並びにパターン転写方法が記載され、特許文献３には、マスク基板、フォトマスク、露光方法、デバイス製造方法、マスク基板の製造方法、フォトマスクの製造方法、及び製造システムが記載されている。
【０００６】
上記のように、研磨を繰り返すとガラス基板の厚さが薄くなり過ぎてしまい、スペックから外れてしまうために、ガラス基板が再利用できなくなってしまうという問題があった。さらに、研磨を繰り返すとガラス基板の厚さが薄くなるので、リサイクルできる回数にも限りがある。特許文献４には、マスク基板の製造方法が記載されている。
【先行技術文献】
【特許文献】
【０００７】
【特許文献１】特開２０１１−１４８０２６号公報
【特許文献２】特開２０１１−２２７２６０号公報
【特許文献３】特開２０１３−１２７５５９号公報
【特許文献４】特開平１１−０１５１４１号公報
【発明の概要】
【発明が解決しようとする課題】
【０００８】
しかし、特許文献４記載の技術であると、貼り合わせたガラス基板を剥離する際に、接合部の周辺に形成された面取り部にくさび状の剥離器具を作用させることによりかつ容易にもとの二つの部材に分離しているが、このような手法であると、剥離が上手くできない場合があるという問題があった。さらに、この特許文献記載のサイズよりも大きなマスクに対しては剥離工程そのものの難易度が上がっているためこれを改善したいという要求があった。
【０００９】
本発明は、上記の事情に鑑みてなされたもので、以下の目的を達成しようとするものである。
１．    高価なガラス基板に対する再研磨を必要とせずに安価で、かつ、リサイクル回数の制限もなしにリサイクル可能とすること。
２．    貼り合わせたガラス基板からなるフォトマスクあるいはフォトマスク用ブランクスにおいて、ガラスの剥離を容易に可能とすること。
【課題を解決するための手段】
【００１０】
本発明のマスクブランクスは、平板状の第１のガラスと、マスクパターンが形成可能とされる第２のガラスとが剥離可能として直接接合され、
前記第１のガラスと第２のガラスとの貼り合わせ面に流体を注入して剥離するための注入部が設けられ、
前記注入部において、前記貼り合わせ面に位置する一方の開口よりも注入口となる他方の開口が、より縁部に近接するように設けられたことにより上記課題を解決した。
本発明のマスクブランクスは、前記注入部が、マスクパターンのない周縁部に設けられることができる。
本発明のマスクブランクスは、前記注入部が、矩形輪郭とされた前記第１のガラスにおけるいずれか一辺の中央位置に配置されることが好ましい。
本発明のマスクブランクスは、前記注入部が、第２のガラスに設けられることがある。
本発明のマスクブランクスは、前記注入部が、第１のガラスに設けられることもできる
。
本発明のフォトマスクは、上記のいずれかに記載のマスクブランクスにマスクパターンが形成されたことができる。
本発明のマスクブランクスの製造方法は、上記のいずれかに記載されたマスクブランクスの製造方法であって、
前記第１のガラスと前記第２のガラスとを準備する準備工程と、
前記注入部を形成する注入部加工工程と、
前記第１のガラスと前記第２のガラスとの表面処理をする表面処理工程と、
前記第１のガラスと前記第２のガラスとを貼り合わせる貼り合わせ工程と、
貼り合わせたガラスを洗浄処理する洗浄工程と、
遮光層を前記第２のガラスの表面に形成する遮光層形成工程と、
を有することができる。
本発明のマスクブランクスの製造方法は、貼り合わされた前記第１のガラスと前記第２のガラスとをそれぞれ保持する分離前工程と、
前記注入部から前記貼り合わせ面に流体を注入して、貼り合わされた前記第１のガラスと前記第２のガラスとを剥離する分離工程と、
を有することができる。
本発明のフォトマスクの製造方法は、上記のフォトマスクの製造方法であって、
先の製造方法によって製造されたマスクブランクスに対して、
フォトレジストを形成するレジスト形成工程と、
マスクパターンを形成するパターン形成工程と、
を有することが好ましい。
本発明のフォトマスクの製造方法は、上記のフォトマスクの製造方法において、
上述した前記分離工程が、フォトマスクとしてのマスクパターンを利用した露光工程後におこなわれることができる。
【００１１】
本発明のマスクブランクスは、平板状の第１のガラスと、マスクパターンが形成可能とされる第２のガラスとが剥離可能として直接接合され、
前記第１のガラスと第２のガラスとの貼り合わせ面に流体を注入して剥離するための注入部が設けられたことにより、注入部から流体を注入して第１のガラスと第２のガラスとを剥離して容易に分離することが可能となる。これにより、分離に際して貼り合わせ面に傷を生じたりすることを防止してマスクブランクスを再生することが可能となる。
注入部としては、薄板ガラス（第２のガラス）に貫通孔を設けること、あるいは、構造上主となる構造材とされる厚板ガラス（第１のガラス）に貫通孔を設けることが可能である。さらに、注入部となる貫通孔としては、Ｌ字やＴ字など種々の形状を採用することができ、第１のガラスと第２のガラスとの端面に溝を設けて、流体であるクリーンエアー（気体）または純水（液体）を容易に注入可能とする構造とすることができる。注入部の形状や個数はマスクの大きさや厚さ等の条件により任意に選択可能である。
【００１２】
本発明のマスクブランクスは、前記注入部が、マスクパターンのない周縁部に設けられることにより、マスクパターンに影響を与えることなく、剥離容易性を呈することが可能となる。
【００１３】
本発明のマスクブランクスは、前記注入部が、矩形輪郭とされた前記第１のガラスにおけるいずれか一辺の中央位置に配置されることにより、注入部から注入した流体が効率よく注入部周りの貼り合わせ面に広がって、第１のガラスと第２のガラスとが離間している面積を容易に拡大することができるとともに、洗浄液に浸漬してマスクブランクスを洗浄する際には、注入部による洗浄液の影響を低減することができる。
【００１４】
本発明のマスクブランクスは、前記注入部が、第２のガラスに設けられることにより、再生する第１のガラスに加工を施すことなくマスクブランクスの再生に際して貼り合わせたガラスの分離を容易におこなうことができる。
【００１５】
本発明のマスクブランクスは、前記注入部が、第１のガラスに設けられることにより、マスクパターンに影響を及ぼすことなく注入部を形成することが容易になるとともに、マスクブランクスをその法線方向の軸を回転中心としたスピン洗浄をおこなう際に、注入部内の洗浄液を容易に除去することが可能となる。
【００１６】
本発明のマスクブランクスは、前記注入部において、前記貼り合わせ面に位置する一方の開口よりも注入口となる他方の開口が、より縁部に近接するように設けられることにより、マスクブランクスをその法線方向の軸を回転中心としたスピン洗浄をおこなう際に、注入部内の洗浄液を容易に除去することが可能となる。
【００１７】
本発明のフォトマスクは、上記のいずれかに記載のマスクブランクスにマスクパターンが形成されたことにより、これらのマスクブランクスから製造されたフォトマスクにおいて上記の作用効果をそれぞれ呈することができる。
【００１８】
本発明のマスクブランクスの製造方法は、上記のいずれかに記載されたマスクブランクスの製造方法であって、
前記第１のガラスと前記第２のガラスとを準備する準備工程と、
前記注入部を形成する注入部加工工程と、
前記第１のガラスと前記第２のガラスとの表面処理をする表面処理工程と、
前記第１のガラスと前記第２のガラスとを貼り合わせる貼り合わせ工程と、
貼り合わせたガラスを洗浄処理する洗浄工程と、
遮光層を前記第２のガラスの表面に形成する遮光層形成工程と、
を有することにより、マスクブランクスの製造、および、再生を容易におこなうことが可能となる。
【００１９】
本発明のマスクブランクスの製造方法は、貼り合わされた前記第１のガラスと前記第２のガラスとをそれぞれ保持する分離前工程と、
前記注入部から前記貼り合わせ面に流体を注入して、貼り合わされた前記第１のガラスと前記第２のガラスとを剥離する分離工程と、
を有することにより、分離した第１のガラスを再生するために前記準備工程に送ることができる。
【００２０】
本発明のフォトマスクの製造方法は、上記のフォトマスクの製造方法であって、
先の製造方法によって製造されたマスクブランクスに対して、
フォトレジストを形成するレジスト形成工程と、
マスクパターンを形成するパターン形成工程と、
を有することによりフォトマスクの再生をおこなうことが容易になる。
【００２１】
本発明のフォトマスクの製造方法は、上記のフォトマスクの製造方法において、
上述した前記分離工程が、フォトマスクとしてのマスクパターンを利用した露光工程後におこなわれることにより、高価なガラス基板に対する再研磨を必要とせずに安価で、かつ、リサイクル回数の制限もなしにリサイクル可能とし、貼り合わせたガラス基板からなるフォトマスクにおいて、ガラスの剥離を容易に可能とすることができる。
【発明の効果】
【００２２】
本発明によれば、高価なガラス基板に対する再研磨を必要とせずに安価で、かつ、リサイクル回数の制限もなしにリサイクル可能とし、貼り合わせたガラス基板からなるフォトマスクあるいはフォトマスク用ブランクス（マスクブランクス）において、ガラスの剥離を容易に可能とすることができることができるという効果を奏することが可能となる。
【図面の簡単な説明】
【００２３】
【図１】本発明に係るマスクブランクスの第１実施形態を示す平面図（ａ）、断面図（ｂ）である。
【図２】本発明に係るマスクブランクスの第１実施形態における注入部を示す断面図である。
【図３】本発明に係るマスクブランクスの第１実施形態における分離工程を示す断面図である。
【図４】本発明に係るマスクブランクスの第１実施形態における注入状態を示す平面図である。
【図５】本発明に係るマスクブランクスの第１実施形態における注入状態の他の例を示す平面図である。
【図６】本発明に係るマスクブランクスの第１実施形態における洗浄工程を示す平面図である。
【図７】本発明に係るマスクブランクスの第１実施形態における他の洗浄工程を示す正面図である。
【図８】本発明に係るマスクブランクスおよびフォトマスクの第１実施形態を示す断面図である。
【図９】本発明に係るマスクブランクスおよびフォトマスクの製造方法における第１実施形態を示す断面図である。
【図１０】本発明に係るマスクブランクスの第１実施形態における分離工程を示す断面図である。
【図１１】本発明に係るマスクブランクスの第１実施形態における分離工程の他の例を示す断面図である。
【図１２】本発明に係るマスクブランクスの第１実施形態における分離工程を示す平面図（ａ）、断面図（ｂ）である。
【図１３】本発明に係るマスクブランクスの第１実施形態における分離工程の他の例を示す平面図（ａ）、断面図（ｂ）である。
【図１４】本発明に係るマスクブランクスの第１実施形態における縁部を示す断面図である。
【図１５】本発明に係るマスクブランクスの縁部を説明するための断面図である。
【図１６】本発明に係るマスクブランクスの第２実施形態を示す平面図（ａ）、断面図（ｂ）である。
【図１７】本発明に係るマスクブランクスの第３実施形態を示す平面図（ａ）、断面図（ｂ）である。
【図１８】本発明に係るマスクブランクスの第３実施形態における注入工程を示す断面図である。
【図１９】本発明に係るマスクブランクスの第３実施形態における分離工程を示す断面図である。
【図２０】本発明に係るマスクブランクスの第３実施形態における分離工程の他の例を示す断面図である。
【図２１】本発明に係るマスクブランクスの第３実施形態における分離工程を示す平面図（ａ）、断面図（ｂ）である。
【図２２】本発明に係るマスクブランクスの第３実施形態における分離工程の他の例を示す平面図（ａ）、断面図（ｂ）である。
【図２３】本発明に係るマスクブランクスの第３実施形態における縁部を示す断面図である。
【図２４】本発明に係るマスクブランクスの縁部を説明するための断面図である。
【図２５】本発明に係るマスクブランクスの第３実施形態における注入部の他の例を示す断面図である。
【図２６】本発明に係るマスクブランクスの第４実施形態を示す平面図（ａ）、断面図（ｂ）、他の例の断面図（ｃ）、他の例の断面図（ｄ）である。
【図２７】本発明に係るマスクブランクスの第５実施形態を示す平面図（ａ）、断面図（ｂ）である。
【図２８】本発明に係るマスクブランクスの第６実施形態を示す断面図である。
【図２９】本発明に係るマスクブランクスの第７実施形態を示す断面図である。
【図３０】本発明に係るマスクブランクスの第８実施形態を示す断面図である。
【図３１】本発明に係るマスクブランクスの第９実施形態を示す断面図（ａ）、他の例の断面図（ｂ）、他の例の断面図（ｃ）、他の例の断面図（ｄ）、他の例の断面図（ｅ）である。
【発明を実施するための形態】
【００２４】
以下、本発明に係るマスクブランクス、フォトマスク、その製造方法の第１実施形態を、図面に基づいて説明する。
図１は、本実施形態におけるマスクブランクスを示す平面図（ａ）、断面図（ｂ）であり、図２は、本実施形態におけるマスクブランクスの注入部を示す断面図であり、図３は、本実施形態におけるマスクブランクスにおける分離工程を示す断面図であり、図４は、本実施形態におけるマスクブランクスにおける注入状態を示す平面図であり、図５は、本実施形態におけるマスクブランクスにおける注入状態を説明するための平面図であり、図６は、本実施形態における洗浄工程におけるマスクブランクスを示す平面図であり、図７は、本実施形態におけるマスクブランクスにおける浸漬型の洗浄状態を示す正面図であり、図において、符号１０は、マスクブランクスである。
【００２５】
本実施形態に係るマスクブランクス１０は、図１に示すように、平板状の第１のガラス１１と、マスクパターンＭが形成可能な遮光層Ｍ０の形成される第２のガラス１２とが剥離可能として直接接合されてマスクブランクス用のガラス基板とされるとともに、第１のガラス１１と第２のガラス１２との貼り合わせ面１３に流体を注入して剥離するための注入部１４が設けられている。第１のガラス１１と第２のガラス１２との二つの部材の貼り合わせは剥離可能な方法、たとえばオプティカルコンタクト（直接接合）により行われている。
【００２６】
第１のガラス１１は第２のガラス１２よりも厚く設定され、マスクブランクス１０あるいはフォトマスクとして再生される。
第２のガラス１２はフォトマスク１０としての使用が終了した後、廃棄されることになる。第２のガラス１２には、マスクパターンＭ、または、このマスクパターンＭを形成するための遮光層Ｍ０が形成される。
【００２７】
本実施形態において、注入部１４は第２のガラス１２に貫通して設けられる。注入部１４が、図１（ａ）に示すように、マスクパターンＭのない周縁部１５に配置するとともに、矩形輪郭とされた第２のガラス１２におけるいずれか一辺の中央位置に配置されている。
【００２８】
注入部１４は、図１（ｂ）に概略示すように、平板状とされる第２のガラス１２の法線方向に貫通する単純形状とされることもできるが、図２、図６に示すように、貼り合わせ面１３に位置する一方の開口１４ａよりも注入口となる他方の開口１４ｂが、第２のガラス１２の平面視した輪郭外縁側に近接している状態が好ましい。つまり、注入部１４は、第２のガラス１２を貫通する貫通孔が、貼り合わせ面１３側開口１４ａからマスクパターンＭを設ける表面側開口１４ｂに向かって第２のガラス１２の平面視した輪郭外縁側方向に傾斜するように設けられること、または、流体を注入する注入ノズルＮに当接する側の開口１４ｂから貼り合わせ面１３側開口１４ａに向かって注入部１４が第２のガラス１２の中心側に向けて傾斜していることが好ましい。
【００２９】
また、注入部１４は、図２に示すように、注入部１４から流体を注入する際に、この注入ノズルＮを当接する注入部１４の開口１４ｂが、ノズルＮの先端Ｎ１形状に対応して密閉可能なように拡径されかつノズルＮの先端Ｎ１形状に対応した凹形状とされている。
【００３０】
本実施形態に係るマスクブランクス１０は、図３に示すように、注入部１４に当接したノズルＮにより、注入部１４から貼り合わせ面１３に流体を注入することで、容易に第１のガラス１１と第２のガラス１２とを剥離して分離することができる。
【００３１】
注入部１４が、図４に示すように、矩形輪郭とされた第２のガラス１２におけるいずれか一辺の中央位置に配置されていることにより、注入工程において注入された流体が、注入部を中心として略円形に拡大して拡がってゆき、第１のガラス１１と第２のガラス１２との剥離した部分が増大してゆく。
【００３２】
また、図５に示すように、注入部１４が、矩形輪郭とされた第２のガラス１２におけるいずれか一の角付近となる位置に配置されていることにより、図４に示す例に比べて、流体の注入量に対する第１のガラス１１と第２のガラス１２との剥離した部分の増大比は少ないものとなるが、例えば、図６に示すように、第２のガラス１２の法線方向と回転軸線とするスピン回転による洗浄工程にマスクブランクス１０を供した場合には、この注入部１４内の洗浄液に起因する影響が小さくなるため好ましい。
【００３３】
さらに、本実施形態に係るマスクブランクス１０は、図６に示すように、第２のガラス１２の法線方向と回転軸線とするスピン回転による洗浄工程において、マスクブランクス１０を矢印ｓｐ方向に回転させた場合に、注入部１４内の洗浄液が回転によって容易に排出可能なように、貼り合わせ面１３側開口１４ａからマスクパターンＭを設ける表面側開口１４ｂに向かって回転方向に合わせて注入部１４を傾斜させることができる。この場合、図６に示すように、回転速度等、洗浄条件に対応して、傾斜方向をθの範囲とすることが可能である。ここで、角度θは回転ｓｐ方向に対して、後方に向かうように設定することができる。
【００３４】
本実施形態に係るマスクブランクス１０は、図７に示すように、浸漬型の洗浄状態においては、矩形輪郭とされた第２のガラス１２における注入部１４が配置されている辺を下側位置として洗浄液に浸漬することが好ましい。また、浸漬型の洗浄状態においては、図５に示すように、矩形輪郭とされた第２のガラス１２における注入部１４が配置されている角付近を下側位置として洗浄液に浸漬することが好ましい。
【００３５】
本実施形態に係るマスクブランクス１０は、図８（ｃ）に示すように、第２のガラス１２の表面にマスクパターンＭを形成することでフォトマスク１０となる。  
【００３６】
以下、本実施形態に係るマスクブランクス、フォトマスクの製造方法を図面に基づいて説明する。
図８は、本実施形態におけるマスクブランクス、フォトマスクの製造方法を示す工程図であり、図９は、本実施形態におけるマスクブランクス、フォトマスクの製造方法を示すフローチャートである。
【００３７】
本実施形態に係るマスクブランクス、フォトマスクの製造方法は、図９に示すように、第１のガラス１１を再生してマスクブランクス（フォトマスク）１０を製造するものであり、第１準備工程Ｓ１１と、第２準備工程Ｓ２１と、注入部加工・外形加工工程Ｓ０２と、第１洗浄処理工程Ｓ１３と、第２洗浄処理工程Ｓ２３と、貼り合わせ工程Ｓ０４と、洗浄工程Ｓ０５と、遮光層形成工程Ｓ０６と、レジスト形成工程Ｓ０６ａと、パターン形成工程Ｓ０６ｂと、露光工程Ｓ０７と、分離前工程Ｓ０８と、分離工程Ｓ０９と、再生処理工程Ｓ１０と、廃棄工程Ｓ２０と、を有する。
【００３８】
本実施形態に係るマスクブランクス、フォトマスクの製造方法は、図９に示す第１準備工程Ｓ１１として、第１のガラス１１を新規のものあるいは、再生されたものを準備する。第１のガラス１１としては、一般的にフォトマスク用に用いられる石英または青板、硼珪酸ガラスなどのガラス基板が用いられる。
【００３９】
同時に、図９に示す第２準備工程Ｓ２１として、第２のガラス１２を準備する。このとき、第２のガラス１２として、主にＦＰＤ（フラットパネルディスプレイ）用途に用いられる無アルカリガラスに代表される、フュージョン法またはダウンフロー法を用いて製造された薄板ガラス（例えばコーニング社のフュージョン法を用いて製造されているＥａｇｌｅ  ＸＧなど）を使用することができる。
【００４０】
オプティカルコンタクト（直接接合）を行うためには十分小さな表面粗さ（Ｒａ＞０．５ｎｍ）が要求されるが、これらの製法を用いて製造されたガラスは研磨を行わなくとも充分に平滑な表面を有している。そのため、高額な研磨費用を節約することが可能となる。さらに、高精細フォトマスク用途でさらに低欠陥が要求された場合に、第１のガラス１１と第２のガラス１２との接合後に第２のガラス１２の表面に対して研磨を行うことが可能であるが、これらの製法を用いて製造されたガラスはすでに良好な表面を有しているために研磨量を少なくすることができるため、研磨にかかるコストを削減することが可能となる。
【００４１】
次いで、図９に示す注入部加工・外形加工工程Ｓ０２として、図２に示すように、第２のガラス１２に貫通孔となる注入部１４を形成する。本実施形態では、第２のガラス１２のみに貫通する注入部１４とされるが、第１のガラス１１のみ、あるいは、第１のガラス１１と第２のガラス１２とに形成することもできる。
【００４２】
注入部加工・外形加工工程Ｓ０２においては、第２のガラス（薄板ガラス）１２にはパターンエリアＭに掛からない周縁部１５に注入部１４としてφ１ｍｍ程度の貫通孔をドリル加工により形成した。注入部１４としての貫通孔の加工方法はマイクロブラスト、エッチング等の他の方法でもよい。この加工に際して、あらかじめ薄板ガラス１２の両面に樹脂製の保護フィルムを貼り付けた状態で切断・端面処理等の外形加工及び貫通孔加工をおこなうことで、第２のガラス１２に対してキズ等の表面欠陥が生じることを防止できるため望ましい。
【００４３】
注入部加工・外形加工工程Ｓ０２において第１のガラス１１には外形加工及び注入部加工を行った後に、研磨工程Ｓ０２ａとして、フォトマスクブランクスとして求められる低欠陥表面とするために精密研磨を行うことができる。
【００４４】
次いで、図９に示す第１洗浄処理工程Ｓ１３と第２洗浄処理工程Ｓ２３として、第１のガラス１１と第２のガラス１２とのそれぞれにおいて、保護フィルムの剥離、ガラス用洗浄剤による洗浄、清浄度を上げるための洗浄、リンス液による洗浄、オゾン水や水素水などの機能水または硫酸過水、アンモニア過水による洗浄、および、スピン乾燥、後述するＩＰＡベーパー乾燥の乾燥等によりパーティクルのない清浄な表面とする。
【００４５】
次いで、図９に示す貼り合わせ工程Ｓ０４として、所定の注入部１４形成加工および表面処理の終了した第１のガラス１１と第２のガラス１２とを貼り合わせる。このとき、第１のガラス１１と第２のガラス１２との位置を合わせて接触させる際に、矩形となっている四辺のうち所定の一辺から接触させ、徐々に全体を接触させることで界面（貼り合わせ面）１３に気泡が残留しないように接合する。
【００４６】
貼り合わせ工程Ｓ０４においては、第１のガラス１１の一面（表面）に第２のガラス１２を貼り合わせたが、第１のガラス１１の他の面（裏面）にも第２のガラス１２と同等な薄板ガラスを貼り付けることができる。これにより、熱膨張係数の違いによるソリを低減し、かつ、精密な研磨をおこなった第１のガラス（厚板ガラス）１１の両面を保護することが可能になる。さらに、貼り付けを行う際の温度をフォトマスクとして使用される温度と同じ条件とすることにより、さらなるソリ発生の低減を実現可能とすることができるために好ましい。
【００４７】
貼り合わせ工程Ｓ０４においては、高精細用途でさらに低欠陥が要求される場合は貼り合わされた状態における研磨をおこなうこともできる。この場合第２のガラス１２または裏面の薄板ガラス表面はすでに良好な表面状態を有しているために研磨量を少なくすることができる。
【００４８】
次いで、図９に示す洗浄工程Ｓ０５として、図６に示したスピン洗浄または図７に示した洗浄槽への浸漬法、等など、所定の方法により貼り合わせされた第１のガラス１１と第２のガラス１２とを洗浄する。なお、図６に示したスピン洗浄においては、図の紙面法線方向から洗浄液を滴下または噴射するとともに、矢印ｓｐ方向にガラス基板を回転させる洗浄方法である。さらに、ＩＰＡベーパー乾燥（Iso-Propyl Alcohol  蒸気乾燥）などをおこなうこともできる。
【００４９】
次いで、図９に示す遮光層形成工程Ｓ０６として、洗浄処理の終了した第２のガラス１２の表面に、図８（ａ）に示すように、遮光層Ｍ０を形成する。
遮光層Ｍ０は、クロム（Ｃｒ）、タングステン（Ｗ）、モリブデンシリサイド（ＭｏＳｉ）またはそれらの積層膜などが成膜される。
【００５０】
次いで、図９に示すレジスト形成工程Ｓ０６ａとして、第２のガラス１２側の上面に、図８（ｂ）に示すように、遮光層Ｍ０上にフォトレジストＣ０を塗布・プリベークしてマスクブランクス１０とする。
【００５１】
次いで、図９に示すパターン形成工程Ｓ０６ｂとして、第２のガラス１２側の遮光層Ｍ０に対して、フォトレジストＣ０を用いて露光・除去するフォトリソ工程により、図８（ｃ）に示すように、遮光層Ｍ０にマスクパターンＭを形成してフォトマスク１０とする。具体的には、マスクパターンを描画し、フォトレジストＣ０を露光・現像し、遮光膜Ｍ０をエッチングし、フォトレジストＣ０の剥離し、マスクブランクス１０を洗浄して、フォトマスクパターンを形成することでフォトマスクとして完成する。ここで、必要ならば、ペリクルやの貼り付けや接着剤による枠の取り付けなどをおこなう。
【００５２】
次いで、図９に示す露光工程Ｓ０７として、マスクパターンＭを用いて露光・パターニングをおこないフォトマスク１０としての利用をする。
【００５３】
次いで、図９に示す分離前工程Ｓ０８として、フォトマスク１０のリサイクルを開始する。
分離前工程Ｓ０８は、フォトマスク１０としての利用が終了したものまたは、マスクパターンの欠陥等何らかの理由によりフォトマスクとして利用されないものに適用される。具体的には、フォトマスクとして使用済みとなった後に、フォトマスクとして廃棄（デザイン変更やパターンのカケなどにより利用しなくなったマスクを廃棄）すると判断されたものとされる。
【００５４】
分離前工程Ｓ０８においては、まず、パーティクル等が原因によるキズの発生を防止するためにフォトマスク１０に対して、ガラス用洗剤による洗浄、純水によるリンス、ＩＰＡベーパー乾燥による洗浄をおこなった。
分離前工程Ｓ０８における洗浄後、図８（ｄ）に示すように、薄板ガラス（第２のガラス）１２の表面に破損防止用として樹脂フィルムＳを貼り付けた。樹脂フィルムＳは、注入部１４を閉塞しないように、注入部１４近傍領域のみ切断除去されていることができる。
【００５５】
さらに、この分離前工程Ｓ０８として、貼り合わされた第１のガラス１１と第２のガラス１２とをクリーンルーム内または、クリーンブース下のパーティクルの少ない環境に保持する。
【００５６】
図１０は、本実施形態におけるマスクブランクス、フォトマスクの製造方法での分離前工程Ｓ０８における保持状態を示す断面図である。
具体的には、分離前工程Ｓ０８として、図１０に示すように、第１のガラス１１が下側に、かつ、第２のガラス１２が上側になるように平坦面に載置し、先端で吸着可能な保持具Ｈ１により上側の第２のガラス１２を保持し、矢印ｓ１方向に第２のガラス１２を剥離可能としておく。
【００５７】
図１１は、本実施形態におけるマスクブランクス、フォトマスクの製造方法での分離前工程Ｓ０８における保持状態を示す断面図である。
分離前工程Ｓ０８として、図１１に示すように、第２のガラス１２が下側に、かつ、第１のガラス１１が上側になるように主面が水平面都平行になるように位置させるとともに、先端で吸着可能な保持具Ｈ１により上側の第１のガラス１１を保持し、矢印ｓ２方向に第２のガラス１２が剥離して落下した場合に柔らかい保持部材Ｈ２により捕獲可能としておく。
【００５８】
図１２は、本実施形態におけるマスクブランクス、フォトマスクの製造方法での分離前工程Ｓ０８における保持状態を示す断面図である。
ＦＰＤなど大型のマスクの場合には、分離前工程Ｓ０８として、図１２に示すように、フォトマスク１０をその主面が概略鉛直方向と平行になるように立てた状態で、第２のガラス１２がわずかに下側に向くように傾斜させて、その四隅を保持具Ｈ３，Ｈ４によって保持するとともに、先端で吸着可能な保持具Ｈ１により下側の第２のガラス１２を保持し、矢印ｓ３方向に第２のガラス１２を回動させて剥離可能としておく。この場合、注入部１４は上側に位置する水平方向に延在する辺の中央となるようにフォトマスク１０を立設しておく。また、矢印ｓ３方向に第２のガラス１２が剥離して落下した場合にも図示しない保持部材により捕獲可能としておく。この場合、保持具Ｈ１によって第２のガラス１２を保持せずに、第２のガラス１２の自重により剥離させることもできる。
【００５９】
図１３は、本実施形態におけるマスクブランクス、フォトマスクの製造方法での分離前工程Ｓ０８における保持状態を示す断面図である。
さらに、ＰＤなど大型のマスクの場合には、分離前工程Ｓ０８として、図１３に示すように、フォトマスク１０をその主面が概略鉛直方向と平行になるように立てた状態で、第１のガラス１１がわずかに上側に向くように傾斜させて、その四隅を保持具Ｈ４によって保持するとともに、先端で吸着可能な保持具Ｈ１により上側の第２のガラス１２を保持し、矢印ｓ４方向に第２のガラス１２を回動させて剥離可能としておく。この場合、注入部１４は左右のいずれかに位置する略鉛直方向に傾斜して延在する辺の中央となるようにフォトマスク１０を立設しておく。
【００６０】
このように、図９に示す分離前工程Ｓ０８として、フォトマスク１０の保持工程が完了したら、図８（ｅ）に示すように、注入部１４に、流体を注入するためのノズルＮを当接させ、ノズルＮに接続された流体供給手段Ｎ０からノズルＮに流体を供給可能としておく。
【００６１】
次いで、図９に示す分離工程Ｓ０９として、図８（ｅ）に示すように、注入口１４に当接したノズルＮに、所定の圧力に（０．５ＭＰａ）に加圧した流体として、パーティクルを除去した窒素ガスまたはクリーンエアー、純水等の液体を供給することができる。
なお、分離工程Ｓ０９として行う剥離プロセスはパーティクルの少ない純水などの液体中でおこなうことができ、その場合には注入口１４に供給する流体として、気体ではなく純水等の液体を用いることになる。
【００６２】
分離工程Ｓ０９として、図８（ｆ）に示すように、注入部１４を介してノズルＮから供給された流体を貼り合わせ面１３に注入すると、流体が注入部１４から貼り合わせ面１３に沿って拡がり、流体注入部分における第１のガラス１１と第２のガラス１２とを離間させる。同時に、この貼り合わせ面１３の流体注入部分において、貼り合わされて直接接合された第１のガラス１１と第２のガラス１２との接合を解除するとともに、第１のガラス１１と第２のガラス１２とが離間した領域を徐々に拡大して、最終的に第１のガラス１１と第２のガラス１２とを剥離する。
【００６３】
このとき、第１のガラス１１と第２のガラス１２との離間領域拡大に際して、同時に、図における矢印ｓ１〜ｓ４までの方向に保持具Ｈ１等を用いて第２のガラス１２を離間方向に移動するように力をかけて、剥離を補助する。
【００６４】
具体的には、分離工程Ｓ０９として、図１０に示すように、保持具Ｈ１の先端で吸着・保持した上側の第２のガラス１２を、矢印ｓ１方向に引張して、流体の注入した注入部１４近傍の貼り合わせ面１３が離間した領域を拡大するように移動させる。これにより、第２のガラス１２が上方に移動するとともに、平坦面に載置された下側の移動しない（厚板ガラス）第１のガラス１１から離間して、第２のガラス１２が剥離される。
【００６５】
または、分離工程Ｓ０９として、図１１に示すように、下側に位置する第２のガラス１２が、重力により下方向である矢印ｓ２方向に引張されているので、貼り合わせ面１３に流体が注入部１４から注入されると、自重により矢印ｓ２方向に第２のガラス１２が落下して、保持具Ｈ１により上側に保持された第１のガラス１１から分離する。落下した第２のガラス１２は、柔らかい保持部材Ｈ２により捕獲される。
【００６６】
または、ＦＰＤなど大型のマスクの場合には、分離工程Ｓ０９として、図１２に示すように、フォトマスク１０をその主面が概略鉛直方向と平行になるように立てた状態で、第２のガラス１２がわずかに下側に向くように傾斜させて、その四隅を保持具Ｈ３，Ｈ４によって保持するとともに、先端で吸着可能な保持具Ｈ１により下側の第２のガラス１２を保持し、矢印ｓ３方向に第２のガラス１２を引張して、貼り合わされて直接接合された第１のガラス１１と第２のガラス１２との接合を解除するとともに、第１のガラス１１と第２のガラス１２とが離間した領域を徐々に拡大可能としておく。
【００６７】
この場合、注入部１４が上側で水平方向に延在する辺の中央に位置していることにより、まず、上端部分が剥離して、重力により矢印ｓ３方向への回動を補助することができる。
また、矢印ｓ３方向に第２のガラス１２が剥離して落下した場合にも図示しない保持部材により捕獲する。この場合、貼り合わされて直接接合された第１のガラス１１と第２のガラス１２との接合を解除された領域がある程度拡がったら、保持具Ｈ１によって第２のガラス１２を保持して矢印ｓ３方向に引張せずに、第２のガラス１２の自重のみにより剥離させることもできる。
【００６８】
または、ＦＰＤなど大型のマスクの場合には、分離工程Ｓ０９として、図１３に示すように、フォトマスク１０をその主面が概略鉛直方向と平行になるように立てた状態で、第１のガラス１１がわずかに上側に向くように傾斜させて、その四隅を保持具Ｈ４によって保持するとともに、先端で吸着可能な保持具Ｈ１により上側の第２のガラス１２を保持し、矢印ｓ４方向に第２のガラス１２を回動させて、貼り合わされて直接接合された第１のガラス１１と第２のガラス１２との接合を解除された領域を拡大する。この場合、注入部１４は左右のいずれかに位置する略鉛直方向に傾斜して延在する辺の中央となるようにフォトマスク１０を立設しておくことで、左右方向に剥離領域が拡大してゆき、第２のガラス１２全体に流体が流入して、第２のガラス１２が第１のガラス１１から接続解除されてから、第２のガラス１２を第１のガラス１１から移動・分離することが好ましい。
【００６９】
次いで、図９に示す再生処理工程Ｓ１０として、図８（ｇ）に示すように、第２のガラス１２から移動・分離した第１のガラス１１を再生するための選別処理をおこない、再生可能なものは第１洗浄処理工程Ｓ１３へと送られる。
【００７０】
次いで、図９に示す廃棄工程Ｓ２０として、図８（ｇ）に示すように、第１のガラス１１から移動・分離した第２のガラス１２を廃棄するための処理をおこなう。
【００７１】
本実施形態によれば、このように、分離した第１のガラス１１は再生してリサイクルすることができる。このとき、第１のガラス１１には遮蔽層Ｍ０またはマスクパターンＭが直接形成されていないため、リサイクル時に、これらの膜を除去する必要がないので、高精細用の研磨をおこなう必要がない。これにより、研磨にかかる作業時間・コストを削減することができる。
【００７２】
上述したように、剥離分離後に第１のガラス１１を第１洗浄処理工程Ｓ１３に送って再生することができるため、再研磨をおこなうことなく表面欠陥の少ないフォトマスク用ガラス基板（第１のガラス）１１を再生可能とすることができる。これにより、基板再生コストを低減可能として、マスクブランクスあるいはフォトマスクの製造および再生を容易におこなうことが可能となる。
【００７３】
マスクブランクスあるいはフォトマスクを再生する際に、高精細用の再研磨を重ねる必要がないため、研磨によりガラス基板（第１のガラス）１１の厚みが減少することがない。これにより、第１のガラス１１における再生可能回数に対する制限を無くすことができる。従って、マスクブランクスあるいはフォトマスクにおける基板再生コストを低減できる。
【００７４】
仮にマスクとしての使用中またはリサイクル作業中に第１のガラス１１に再研磨による修正が必要とされるようなダメージを受け、第１のガラス１１に対する再研磨を繰り返し行って第１のガラス１１の厚みが規格値を超える程薄くなった場合には、貼り合わせる第２のガラス１２として上記の厚みよりもさらに厚いものを使用することで規格値に合わせたマスクブランクスあるいはフォトマスクの厚みを維持することも可能である。
【００７５】
第１のガラス１１に貼り合わせる第２のガラス１２として、フュージョン法またはダウンフロー法により製造された薄板ガラスとして採用することにより、研磨を必要とせずにオプティカルコンタクトによる接合が可能となり、高価な研磨コストを低減あるいはなくしてしまうことができる。
【００７６】
青板（ソーダライムガラス）を用いたフォトマスクではガラスのアルカリ成分が原因となるマウスニップと呼ばれるCrパターンが欠ける不具合が発生する場合があるが、本実施形態においては、表面に貼り合わせる薄板ガラス（第２のガラス）１２をアルカリ成分を含まない、例えば無アルカリガラスとすることによって、このマウスニップの発生を防止することが可能となる。
【００７７】
注入部１４の設置位置は、フォトマスク１０におけるマスクパターンＭにかからない周縁部１５でかつ、辺の中央付近が望ましい。コーナー部（角部）に近いと、注入した流体がコーナー周辺の２辺より外部に漏れてしまい、基板中央まで流体が入り込んで行きづらくなり、作業時間が増大し作業効率が低下する可能性がある。
なお、周縁部１５の幅寸法は、小型フォトマスク１０では５ｍｍ以下、大型フォトマスク１０では２０ｍｍ以下として設定される。
【００７８】
図７に示すように、フォトマスク（マスクブランクス）１０を縦にして水槽に漬け込む方式であるディップ式洗浄によってフォトマスク１０を洗浄する場合、注入部１４を下端になる辺にのみ設けることにより、洗浄液の垂れ染みが作られてしまい、フォトマスク（マスクブランクス）１０の歩留まりが低下してしまうことを防止できる。
【００７９】
図６に示すように、スピン洗浄・スピン乾燥の場合は、一般的に水平にガラス基板（第２のガラス）１２が置かれるので、ガラス基板１２の４辺に注入部１４を設けることもできる。厚板ガラス（第１のガラス）１１に注入口を設ける場合には、スピンによる回転方向を考慮して、注入部１４を回転に対して径方向外向き方向から回転逆向き方向に傾斜した貫通孔とすることが望ましい。これにより、注入部１４内の洗浄液がスピン洗浄・スピン乾燥として回転した場合に排出され易いようにすることができる。
【００８０】
図６に示すように、スピン洗浄・スピン乾燥の場合は、ガラス基板（第２のガラス）１２の回転により洗浄液が注入部１４より排出され易くなるように、図２に示すように、注入部１４の貼り合わせ面１３に位置する一方の開口１４ａよりも注入口となる他方の開口１４ｂが、より輪郭縁部に近接するように設けられる。
【００８１】
注入部１４において、流体を注入するノズルＮとの接点部分となる開口１４ｂの内側形状は、図２に示すように、順テーパーとすることで、ノズルＮと開口１４ｂとの密着度を向上して、注入時の流体の漏れやノズルＮと第２のガラス１２との接触による欠け発生を防止することができる。
【００８２】
図１４、図１５は、本実施形態におけるマスクブランクス、フォトマスクにおけるベベリング面を示す断面図である。
厚板ガラス（第１のガラス）１１および薄板ガラス（第２のガラス）１２においては、マスク用基板としてその端面にべべリング（C面）１６を形成することがある。ここで、図１５に示すように、厚板ガラス（第１のガラス）１１および薄板ガラス（第２のガラス）１２のそれぞれにベベリング面１６ａを設けて、貼り合わせた薄板ガラス１２と厚板ガラス１１の端面における境界部分に段差がある場合には、洗浄工程において、この段差となるベベリング１６ａの部分において充分な洗浄がしづらくパーティクルの発生原因となるため好ましくない。したがって、本実施形態においては、図１４に示すように、薄板ガラス１２と厚板ガラス１１とを合わせた断面がその境界部分で面一となるように一体化された形状とする。このベベリング面の加工工程としては貼り合わせ工程Ｓ０４後で遮光層形成工程Ｓ０５前にこの端面加工を入れる製造方法とすることができる。
【００８３】
以下、本発明に係るマスクブランクス、フォトマスクの第２実施形態を、図面に基づいて説明する。
【００８４】
本実施形態において上述した第１実施形態と異なるのは注入部２４が第１のガラス１１に設けられた点であり、これ以外の対応する構成要素に関しては、同一の符号を付してその説明を省略する。
図１６は、本実施形態におけるマスクブランクス、フォトマスクを示す平面図（ａ）、断面図（ｂ）である。
【００８５】
本実施形態におけるマスクブランクス１０は、図１６に示すように、平板状の第１のガラス１１と、マスクパターンＭが形成可能な遮光層Ｍ０の形成される第２のガラス１２とが剥離可能として直接接合されてマスクブランクス用のガラス基板とされるとともに、第１のガラス１１と第２のガラス１２との貼り合わせ面１３に流体を注入して剥離するための注入部２４が第１のガラス１１を厚さ方向に貫通する貫通孔として設けられている。
【００８６】
本実施形態において、注入部２４は第１のガラス１１に貫通して設けられる。注入部２４が、図１６（ａ）に示すように、マスクパターンＭのない周縁部１５に配置するとともに、矩形輪郭とされた第１のガラス１１におけるいずれか一辺の中央位置に配置されている。
【００８７】
注入部２４は、図１６（ｂ）に概略示すように、平板状とされる第１のガラス１１の法線方向に貫通する単純形状とされることもできるが、図２、図６に示した第１実施形態に対応して、貼り合わせ面１３に位置する一方の開口よりも注入口となる他方の開口が、第１のガラス１１の平面視した輪郭外縁側に近接するように傾斜していることが好ましい。
【００８８】
また、注入部１４は、図２に示した第１実施形態に対応して、注入部２４から流体を注入する際に、この注入ノズルＮを当接する注入部２４の開口が、ノズルＮの先端Ｎ１形状に対応して密閉可能なように拡径されかつノズルＮの先端Ｎ１形状に対応した凹形状とされることができる。
【００８９】
本実施形態に係るマスクブランクス１０は、注入部２４に当接したノズルＮにより、注入部２４から貼り合わせ面１３に流体を注入することで、容易に第１のガラス１１と第２のガラス１２とを剥離して分離することができる。
【００９０】
注入部２４が、図４に示した第１実施形態に対応して、矩形輪郭とされた第１のガラス１１におけるいずれか一辺の中央位置に配置されていることにより、注入工程において注入された流体が、注入部を中心として略円形に拡大して拡がってゆき、第１のガラス１１と第２のガラス１２との剥離した部分が増大してゆく。
【００９１】
また、図５に示した第１実施形態に対応して、注入部２４が、矩形輪郭とされた第１のガラス１１におけるいずれか一の角付近となる位置に配置されていることにより、図４に示す例に比べて、流体の注入量に対する第１のガラス１１と第２のガラス１２との剥離した部分の増大比は少ないものとなるが、例えば、図６に示した第１実施形態に対応して、第１のガラス１１の法線方向と回転軸線とするスピン回転による洗浄工程にマスクブランクス１０を供した場合には、この注入部２４内の洗浄液に起因する影響が小さくなるため好ましい。
【００９２】
さらに、本実施形態に係るマスクブランクス１０は、図６に示した第１実施形態に対応して、第１のガラス１１の法線方向と回転軸線とするスピン回転による洗浄工程において、マスクブランクス１０を矢印ｓｐ方向に回転させた場合に、注入部２４内の洗浄液が回転によって容易に排出可能なように、貼り合わせ面１３側開口からマスクパターンＭを設ける表面側開口に向かって回転方向に合わせて注入部２４を傾斜させることができる。この場合、図６に示した第１実施形態に対応して、回転速度等、洗浄条件に対応して、傾斜方向をθの範囲とすることが可能である。ここで、角度θは回転ｓｐ方向に対して、後方に向かうように設定することができる。
【００９３】
本実施形態に係るマスクブランクス１０は、図７に示した第１実施形態に対応して、矩形輪郭とされた第１のガラス１１における注入部２４が配置されている辺を下側位置として洗浄液に浸漬することが好ましい。
【００９４】
本実施形態に係るマスクブランクス１０は、図８（ｃ）に示した第１実施形態に対応して、第２のガラス１２の表面にマスクパターンＭを形成することでフォトマスク１０となる。  
本実施形態に係るマスクブランクス１０またはフォトマスク１０では、厚板ガラス（第1のガラス）１１を厚さ方向に貫通するように注入部２４が設けられている。
【００９５】
第２の薄板ガラス１２へ注入部２４を設ける場合には、描画される予定のパターンデザインに合わせて注入部２４の位置を変更できるので、位置設定の自由度を高くすることができる。
一方、第１の厚板ガラス１１に注入部２４を加工する場合には、第１の厚板ガラス１１がリサイクルされる部分であるため、一度注入口２４を設ける位置を設定して注入口２４を設けたら、次のリサイクルの時、注入口２４を設ける位置を変更する自由度はない。
【００９６】
また、注入部２４を加工した第１のガラス１１を再生して複数回使用することができるため、再生時には、注入部２４加工の工程を省略することができ、作業工程の省略および処理時間の短縮を図ることができる。
【００９７】
以下、本発明に係るマスクブランクス、フォトマスクの第３実施形態を、図面に基づいて説明する。
【００９８】
本実施形態において上述した第１および第２実施形態と異なるのは注入部３４が第１のガラス１１に屈曲して設けられた点であり、これ以外の対応する構成要素に関しては、同一の符号を付してその説明を省略する。
図１７は、本実施形態におけるマスクブランクス、フォトマスクを示す平面図（ａ）、断面図（ｂ）である。
【００９９】
本実施形態におけるマスクブランクス１０は、図１７に示すように、平板状の第１のガラス１１と、マスクパターンＭが形成可能な遮光層Ｍ０の形成される第２のガラス１２とが剥離可能として直接接合されてマスクブランクス用のガラス基板とされるとともに、第１のガラス１１と第２のガラス１２との貼り合わせ面１３に流体を注入して剥離するための注入部３４が、貼り合わせ面１３側から第１のガラス１１の端面１１ａまで屈曲して第１のガラス１１をＬ字状に貫通する貫通孔として設けられている。
【０１００】
本実施形態において、注入部３４は第１のガラス１１にＬ字状に貫通して設けられる。注入部３４は、図１７（ａ）に示すように、貼り合わせ面１３側の開口３４ｂがマスクパターンＭのない周縁部１５に配置されるとともに、矩形輪郭とされた第１のガラス１１におけるいずれか一辺の中央位置に配置されて、貼り合わせ面１３位置から厚さ方向中央位置付近まで設けられるとともに、図１７（ｂ）に示すように、開口３４ｂと反対側の注入部３４の厚さ方向中央位置に連通して、横開口３４ｃが第１のガラス１１の中心から外縁に向かう径方向として貼り合わせ面１３の面に方向と平行な向きに延在して端面１１ａまで連通するように設けられ、この横開口３４ｃは、矩形輪郭とされた第１のガラス１１における開口３４ａの設けられた一辺に対応した端面１１ａに配置されている。
【０１０１】
注入部３４は、図１７（ｂ）に概略示すように、平板状とされる第１のガラス１１において、貼り合わせ面１３側から端面１１ａ側へ屈曲したＬ字状の貫通形状とされることもできるが、Ｌ字状ではなく、図２５（ａ）に示すように、開口３４ｂから横開口３４ｃまでの最短距離を結ぶ傾斜貫通孔３４ｄとすることや、図２５（ｂ）に示すように、開口３４ｂから横開口３４ｃまでを結ぶ円弧状の貫通孔３４ｅとすることもできる。この注入部３４は、図２、図６に示した第１実施形態に対応して、貼り合わせ面１３に位置する一方の開口３４ｂよりも注入口となる他方の横開口３４ｃが、第１のガラス１１の平面視した輪郭外縁側に近接するように傾斜している。
【０１０２】
また、注入部３４は、図２に示した第１実施形態に対応して、注入部３４から流体を注入する際に、この注入ノズルＮを当接する注入部３４の開口３４ａが、図１８に示すように、ノズルＮの先端Ｎ１形状に対応して密閉可能なように拡径されかつノズルＮの先端Ｎ１形状に対応した凹形状とされることができる。
【０１０３】
本実施形態に係るマスクブランクス１０は、端面１１ａの注入部３４開口３４ａに当接したノズルＮにより、注入部３４から貼り合わせ面１３に流体を注入することで、容易に第１のガラス１１と第２のガラス１２とを剥離して分離することができる。
【０１０４】
注入部３４が、図４に示した第１実施形態に対応して、矩形輪郭とされた第１のガラス１１におけるいずれか一辺の中央位置の端面１１ａに配置されていることにより、注入工程において注入された流体が、注入部を中心として略円形に拡大して拡がってゆき、第１のガラス１１と第２のガラス１２との剥離した部分が増大してゆく。
【０１０５】
また、図５に示した第１実施形態に対応して、注入部３４が、矩形輪郭とされた第１のガラス１１におけるいずれか一の角付近となる位置に配置されていることにより、図４に示す例に比べて、流体の注入量に対する第１のガラス１１と第２のガラス１２との剥離した部分の増大比は少ないものとなるが、例えば、図６に示した第１実施形態に対応して、第１のガラス１１の法線方向と回転軸線とするスピン回転による洗浄工程にマスクブランクス１０を供した場合には、この注入部３４内の洗浄液に起因する影響が小さくなるため好ましい。
【０１０６】
さらに、本実施形態に係るマスクブランクス１０は、図６に示した第１実施形態に対応して、第１のガラス１１の法線方向と回転軸線とするスピン回転による洗浄工程において、マスクブランクス１０を矢印ｓｐ方向に回転させた場合に、注入部３４内の洗浄液が回転によって容易に排出可能なように、貼り合わせ面１３側開口から端面１１ａ側開口３４ａに向かって回転方向に合わせて注入部３４を傾斜させることができる。この場合、図６に示した第１実施形態に対応して、回転速度等、洗浄条件に対応して、傾斜方向をθの範囲とすることが可能である。ここで、角度θは回転ｓｐ方向に対して、後方に向かうように設定することができる。
【０１０７】
本実施形態に係るマスクブランクス１０は、図７に示した第１実施形態に対応して、矩形輪郭とされた第１のガラス１１における注入部３４が配置されている辺の端面１１ａを下側位置として洗浄液に浸漬することで、端面１１ａに位置する開口３４ａが下向きに開口した状態で洗浄液に浸漬するため、洗浄液による影響をより一層低減することが可能となる。
【０１０８】
本実施形態に係るマスクブランクス１０は、図８（ｃ）に示した第１実施形態に対応して、第２のガラス１２の表面にマスクパターンＭを形成することでフォトマスク１０となる。  
【０１０９】
洗浄及び乾燥時には、注入部３４をマスクパターンＭが設けられる表面に設けるよりも、厚板ガラス１１の端面１１ａに設けることで、ガラス基板１０表面に液滴が生じないようにすることができる。
厚板ガラス１１側に注入部２４，３４を設ける場合は、マスクパターンＭのデザインや洗浄方式に合わせて注入部の位置を変更することができないが、薄板ガラス１２に注入部１４を設ける場合は、マスクパターンＭのデザインや洗浄方式等、注入部３４を設けた後での要求に合わせて変更することが可能となる。
【０１１０】
本実施形態に係るマスクブランクスまたはフォトマスクの製造方法では、図９に示した第１実施形態に対応して、分離前工程Ｓ０８においては、まず、パーティクル等が原因によるキズの発生を防止するためにフォトマスク１０に対して、ガラス用洗剤による洗浄、純水によるリンス、ＩＰＡベーパー乾燥による洗浄をおこなった。
【０１１１】
分離前工程Ｓ０８における洗浄後、図８（ｄ）に示した第１実施形態に対応して、薄板ガラス（第２のガラス）１２の表面に破損防止用として樹脂フィルムＳを貼り付けた。樹脂フィルムＳは、注入部１４を閉塞しないように、注入部１４近傍領域のみ切断除去されていることができる。分離前工程Ｓ０８として、貼り合わされた第１のガラス１１と第２のガラス１２とをクリーンルーム内または、クリーンブース下のパーティクルの少ない環境に保持する。
【０１１２】
図１９は、本実施形態におけるマスクブランクス、フォトマスクの製造方法での分離前工程Ｓ０８における保持状態を示す断面図である。
具体的には、分離前工程Ｓ０８として、図１９に示すように、第１のガラス１１が下側に、かつ、第２のガラス１２が上側になるように平坦面に載置し、先端で吸着可能な保持具Ｈ１により上側の第２のガラス１２を保持し、矢印ｓ５方向に第２のガラス１２を剥離可能としておく。
【０１１３】
図２０は、本実施形態におけるマスクブランクス、フォトマスクの製造方法での分離前工程Ｓ０８における保持状態を示す断面図である。
または、分離前工程Ｓ０８として、図２０に示すように、第２のガラス１２が下側に、かつ、第１のガラス１１が上側になるように主面が水平面都平行になるように位置させるとともに、先端で吸着可能な保持具Ｈ１により上側の第１のガラス１１を保持し、分離工程Ｓ０９で、矢印ｓ６方向に第２のガラス１２が剥離して落下した場合に、下側位置に設けた柔らかい保持部材Ｈ２により捕獲可能としておく。
【０１１４】
図２１は、本実施形態におけるマスクブランクス、フォトマスクの製造方法での分離前工程Ｓ０８における保持状態を示す断面図である。
ＦＰＤなど大型のマスクに適用する場合には、分離前工程Ｓ０８として、図２１に示すように、フォトマスク１０をその主面が概略鉛直方向と平行になるように立てた状態で、第２のガラス１２がわずかに下側に向くように傾斜させて、その四隅を保持具Ｈ３，Ｈ４によって保持するとともに、先端で吸着可能な保持具Ｈ１により下側の第２のガラス１２を保持し、矢印ｓ７方向に第２のガラス１２を回動して剥離可能としておく。この場合、注入部３４は上側に位置する水平方向に延在する辺の中央となるようにフォトマスク１０を立設しておく。また、矢印ｓ７方向に第２のガラス１２が剥離して落下した場合にも図示しない保持部材により捕獲可能としておく。この場合、保持具Ｈ１によって第２のガラス１２を保持せずに、第２のガラス１２の自重により剥離させることもできる。
【０１１５】
図２２は、本実施形態におけるマスクブランクス、フォトマスクの製造方法での分離前工程Ｓ０８における保持状態を示す断面図である。
ＦＰＤなどの大型マスクを再生する場合には、分離前工程Ｓ０８として、図２２に示すように、フォトマスク１０をその主面が概略鉛直方向と平行になるように立てた状態で、第１のガラス１１がわずかに上側に向くように傾斜させて、その四隅を保持具Ｈ４によって保持するとともに、先端で吸着可能な保持具Ｈ１により上側の第２のガラス１２を保持し、矢印ｓ８方向に第２のガラス１２を回動して剥離可能としておく。この場合、注入部３４は左右のいずれかに位置する略鉛直方向に傾斜して延在する辺の中央となるようにフォトマスク１０を立設しておく。
【０１１６】
このように、図９に示した第１実施形態の分離前工程Ｓ０８と同様にして、フォトマスク１０の保持工程が完了したら、図１９〜図２２に示すように、注入部３４に、流体を注入するためのノズルＮを当接させ、図８（ｅ）に示したノズルＮに接続された流体供給手段Ｎ０からノズルＮに流体を供給可能としておく。
【０１１７】
次いで、図９に示した第１実施形態の分離工程Ｓ０９と同様にして、図１９〜図２２に示すように、注入口部４に当接したノズルＮに、所定の圧力に（０．５ＭＰａ）に加圧した流体として、パーティクルを除去した窒素ガスまたはクリーンエアー、純水等の液体を供給する。なお、剥離プロセスはパーティクルの少ない純水などの液体中でおこなうことができ、その場合には、ノズルＮに供給する流体として気体ではなく純水等の液体を用いることになる。この場合、水の浮力を利用できるので、大型のマスク１０であってもハンドリングしやすくなる。
【０１１８】
分離工程Ｓ０９として、図１９〜図２２に示すように、注入部３４を介してノズルＮから供給された流体を貼り合わせ面１３に注入すると、流体が注入部３４から貼り合わせ面１３に沿って拡がり、流体注入部分における第１のガラス１１と第２のガラス１２とを離間させる。同時に、この貼り合わせ面１３の流体注入部分において、貼り合わされて直接接合された第１のガラス１１と第２のガラス１２との接合を解除するとともに、図２１（ａ），図２２（ａ）に破線の矢印で示すように、第１のガラス１１と第２のガラス１２とが離間した領域を徐々に拡大してゆき、最終的に第１のガラス１１と第２のガラス１２とを剥離する。
【０１１９】
このとき、第１のガラス１１と第２のガラス１２との離間領域拡大に際して、同時に、図における矢印ｓ５〜ｓ８までの方向に保持具Ｈ１等を用いて第２のガラス１２を離間方向に移動するように力をかけて、剥離を補助する。
【０１２０】
具体的には、分離工程Ｓ０９として、図１９に示すように、保持具Ｈ１の先端で吸着・保持した上側の第２のガラス１２を矢印ｓ５方向に引き上げて、図２１（ａ），図２２（ａ）に示す破線の矢印と同様に、流体を注入した注入部３４近傍の貼り合わせ面１３が離間している領域を拡大するように上向きの引張力を作用させる。これにより、第２のガラス１２が、上方に移動するとともに、作業台等の図示しない平坦面に載置された下側の厚板ガラス（第１のガラス）１１から離間して、第２のガラス１２が剥離される。
【０１２１】
または、分離工程Ｓ０９として、図２０に示すように、下側に位置する第２のガラス１２が、下方向である矢印ｓ６方向に重力が作用しているので、注入部３４から流体が貼り合わせ面１３に注入されると、自重により矢印ｓ６方向に第２のガラス１２が落下して、保持具Ｈ１により上側に保持された第１のガラス１１から分離する。落下した第２のガラス１２は、柔らかい保持部材Ｈ２などにより捕獲される。
【０１２２】
または、ＦＰＤなど大型のマスクの場合には、分離工程Ｓ０９として、図２１に示すように、フォトマスク１０をその主面が概略鉛直方向と平行になるように立てた状態で、第２のガラス１２がわずかに下側に向くように傾斜させて、その四隅を保持具Ｈ３，Ｈ４によって保持するとともに、先端で吸着可能な保持具Ｈ１により下側の第２のガラス１２を保持し、矢印ｓ７方向に第２のガラス１２を引張して、貼り合わされて直接接合された第１のガラス１１と第２のガラス１２との接合を解除するとともに、図２１（ａ）に破線の矢印で示すように、第１のガラス１１と第２のガラス１２とが離間した領域を注入部３４を中心として周辺に徐々に拡大していき、持具Ｈ１の先端で吸着・保持した上側の第２のガラス１２を矢印ｓ７方向に引き上げて、第２のガラス１２の下端部に位置する端辺を回動中心として、第２のガラス１２の上端部に位置する端辺を矢印ｓ７方向に移動するように、第２のガラス１２を回動させる。
【０１２３】
この場合、注入部３４が上側で水平方向に延在する辺の中央に位置していることにより、まず、上端部分が剥離して、下端辺を中心とした矢印ｓ７方向への第２のガラス１２の回動を、重力および保持具Ｈ１の引張力により補助することができる。
また、矢印ｓ７方向に第２のガラス１２が剥離して落下した場合にも、保持部材Ｈ２と同等の図示しない保持部材により捕獲する。この場合、貼り合わされて直接接合された第１のガラス１１と第２のガラス１２との接合を解除された領域がある程度拡がったら、保持具Ｈ１による第２のガラス１２の保持を解除して、矢印ｓ７方向に引張することなく、第２のガラス１２の自重のみにより剥離させることもできる。
【０１２４】
さらに、ＦＰＤなど大型のマスクの場合には、分離工程Ｓ０９として、図２２に示すように、フォトマスク１０をその主面が概略鉛直方向と平行になるように立てた状態で、第１のガラス１１がわずかに上側に向くように傾斜させて、その四隅を保持具Ｈ４によって保持するとともに、先端で吸着可能な保持具Ｈ１により上側の第２のガラス１２を保持し、矢印ｓ４方向に第２のガラス１２を回動させて、貼り合わされて直接接合された第１のガラス１１と第２のガラス１２との接合を解除された領域を拡大する。この場合、注入部１４は左右のいずれかに位置する略鉛直方向に傾斜して延在する辺の中央となるようにフォトマスク１０を立設しておくことで、左右方向に剥離領域が拡大してゆき、第２のガラス１２全体に流体が流入して、第２のガラス１２が第１のガラス１１から接続解除されてから、第２のガラス１２を第１のガラス１１から移動・分離することが好ましい。
【０１２５】
次いで、図９に示した第１実施形態に対応して、再生処理工程Ｓ１０、廃棄工程Ｓ２０として、処理をおこなう。
【０１２６】
本実施形態に係るマスクブランクス１０またはフォトマスク１０では、厚板ガラス（第1のガラス）１１の端面１１ａに設けられた横開口３４ｃから、厚板ガラス１１の主面と平行な方向に貫通し、貼り合わせ面１３に設けられた開口３４ｂまで連続するように注入部３４が設けられているので、平面視した際の注入部３４の形成位置を、マスクパターンＭの設置範囲に縛られることなく、より配置の自由度を高めることができる。また、端面１１ａに設けられた開口３４ａから流体を注入することができるので、厚板ガラス１１の破損等の発生を低減することが可能となる。
【０１２７】
さらに、注入部３４を加工した第１のガラス１１を再生して複数回使用することができるため、再生時には、注入部３４加工の工程を省略することができ、作業工程の省略および処理時間の短縮を図ることができる。
【０１２８】
本実施形態によれば、このように、分離した第１のガラス１１は再生してリサイクルすることができる。このとき、第１のガラス１１には遮蔽層Ｍ０またはマスクパターンＭが直接形成されていないため、リサイクル時に、これらの膜を除去する必要がないので、高精細用の研磨をおこなう必要がない。これにより、研磨にかかる作業時間・コストを削減することができる。
【０１２９】
図２３、図２４は、本実施形態におけるマスクブランクス、フォトマスクにおけるベベリング面を説明するための断面図である。
厚板ガラス（第１のガラス）１１および薄板ガラス（第２のガラス）１２においては、マスク用基板としてその端面にべべリング（C面）１６を形成してもよい。
【０１３０】
ここで、図２４に示すように、厚板ガラス（第１のガラス）１１および薄板ガラス（第２のガラス）１２のそれぞれにベベリング面１６ａを設けて、貼り合わせた薄板ガラス１２と厚板ガラス１１の端面における境界部分に段差がある場合には、洗浄工程において、この段差となるベベリング１６ａの部分において充分な洗浄がしづらくパーティクルの発生原因となるため好ましくない。特に、端面１１ａが面一になっていないと、洗浄液および汚染物が凹部に溜まる等の悪影響があるため好ましくない。
【０１３１】
したがって、本実施形態においては、図２３に示すように、薄板ガラス１２と厚板ガラス１１とを合わせた断面がその境界部分で面一となるように一体化された形状とする。このベベリング面１６の加工工程としては貼り合わせ工程Ｓ０４後で遮光層形成工程Ｓ０５前にこの端面加工を入れる製造方法とすることができる。
【０１３２】
なお、マスクブランクス、フォトマスク１０の主面を水平にするとともに、薄板ガラス１２を上にして剥離した場合、流体の注入を停止すると、薄板ガラス１２の自重により再度貼り付いてしまう。また、剥離時にパーティクルが薄板ガラス１２と厚板ガラス１１との間に入るとキズ発生の原因となるため好ましくない。これらを防止するために以下の方法を採用することができる。
【０１３３】
薄板ガラス１２を下側位置として、厚板ガラス１１を吸着可能な保持具Ｈ１等で保持した状態で流体を注入する。これにより、薄板ガラス１２は自重により下側に下がり、剥離が全体に進むと同時に薄板ガラス１２が落下する。
【０１３４】
または、薄板ガラス１２を上側位置として、薄板ガラス１２を吸着可能な保持具Ｈ１等で保持して上に引っ張る。
【０１３５】
さらに、ガラス基板サイズが大きくなった場合は水平位置での保持が難しくなるため、基板を立てて流体の注入を上または左右の辺より行うことが望ましい。
このとき、９０度よりも大きく傾けた場合は、薄板ガラス１２の自重により再貼り付きを防止可能であるが、ガラス基板重量等により保持が難しい。また、９０度以下の傾きとした場合は、薄板ガラス１２を外側に引っ張ることで再貼り付きを防止することができる。
【０１３６】
大気中よりも水槽などに貯留した水中（液体中）にガラス基板１１，１２を沈めて剥離処理をおこなうほうが好ましい。その理由として、大気中で剥離処理をおこなった場合には、パーティクルが剥離中の基板間に挟まった場合に、薄板ガラス１２にキズが発生し易いのに対し、水中で剥離処理をおこなった場合には、パーティクルが剥離中の基板間に挟まった場合でも、潤滑その他の効果により、比較的キズが発生しにくいになりづらいためである。
【０１３７】
さらに、水中で剥離処理をおこなった場合には、水の抵抗により、剥離したガラス基板１１，１２の動きをゆっくりとすることができ、これにより、急激な落下などによる衝突に起因したダメージ発生を軽減することが可能である。
【０１３８】
なお、大気中での処理をおこなう装置のほうが提供は容易である。
【０１３９】
また、パーティクル等に対する潤滑の効果に加え、流体としての水は、気体よりも密度が高いので圧縮されず厚板ガラス１１と薄板ガラス１２との界面を広げる力が強いため、注入部１４，２４，３４から注入する流体は気体よりも液体が好ましい。
【０１４０】
さらに、流体として水等の液体を採用する場合、純水よりも、表面活性剤を含む洗剤等を用いたほうが、潤滑の効果を高めることができるため、より好ましい。
【０１４１】
以下、本発明に係るマスクブランクス、フォトマスクの第４実施形態を、図面に基づいて説明する。
【０１４２】
本実施形態において上述した第１から第３のいずれかの実施形態と異なるのは注入部４４が第１のガラス１１および第２のガラスに設けられた点であり、これ以外の対応する構成要素に関しては、同一の符号を付してその説明を省略する。
図２６は、本実施形態におけるマスクブランクス、フォトマスクを示す平面図（ａ）、断面図（ｂ）である。
【０１４３】
本実施形態におけるマスクブランクス１０は、図２６（ａ），図２６（ｂ）に示すように、平板状の第１のガラス１１と、マスクパターンＭが形成可能な遮光層Ｍ０の形成される第２のガラス１２とが剥離可能として直接接合されてマスクブランクス用のガラス基板とされるとともに、第１のガラス１１と第２のガラス１２との貼り合わせ面１３に流体を注入して剥離するための注入部４４が、第１のガラス１１の端面１１ａから貼り合わせ面１３と平行かつこの貼り合わせ面１３をまたいで、第１のガラス１１と第２のガラス１２との両方に設けられた溝として設けられている。
【０１４４】
本実施形態において、注入部４４は端面１１ａがわから見た輪郭は略円形とされており、周縁部１５の幅寸法以下の長さとして、端面１１ａから平面視した第１のガラス１１中心方向に形成された一端の開口した孔部とされている。注入部４４は、図２６（ａ）に示すように、貼り合わせ面１３において、マスクパターンＭのない周縁部１５に配置されるとともに、矩形輪郭とされた第１のガラス１１におけるいずれか一辺の中央位置に配置されて、貼り合わせ面１３位置から厚さ方向の第１のガラス１１と第２のガラス１２との両方に穿たれるように設けられるとともに、図２６（ｂ）に示すように、開口４４ａが端面１１ａに配置されている。
【０１４５】
注入部４４は、図２６（ｂ）に概略示すように、図１７〜図２５に示した第３実施形態と同様に、端面１１ａの開口４４ａにノズルＮを当接して流体を注入するものとされる。
【０１４６】
本実施形態では、上記の実施形態における作用効果と同等の効果を奏するとともに、注入部４４が貼り合わせ面１３位置から厚さ方向の第１のガラス１１と第２のガラス１２との両方に穿たれるように設けられることにより、分離工程Ｓ０９をより効率的におこなうことができるためフォトマスクの再生をおこなうことが容易になる。
【０１４７】
また、本実施形態におけるマスクブランクス１０は、図２６（ｃ）に示すように、注入部４４が、貼り合わせ面１３よりも第１のガラス１１側のみに設けられた溝４４ｇとして設けられることができる。
【０１４８】
また、本実施形態におけるマスクブランクス１０は、図２６（ｄ）に示すように、注入部４４が、貼り合わせ面１３よりも第２のガラス１２側のみに設けられた溝４４ｈとして設けられることができる。
【０１４９】
以下、本発明に係るマスクブランクス、フォトマスクの第５実施形態を、図面に基づいて説明する。
【０１５０】
本実施形態において上述した第１から第４のいずれかの実施形態と異なるのは、第１のガラス１１の裏面に第２の裏ガラス５２が貼り着けられるとともに、注入部５４が第２のガラス５２側の貼り合わせ面５３にも貫通するようにした点であり、これ以外の対応する構成要素に関しては、同一の符号を付してその説明を省略する。
図２７は、本実施形態におけるマスクブランクス、フォトマスクを示す平面図（ａ）、断面図（ｂ）である。
【０１５１】
本実施形態におけるマスクブランクス１０は、図２７に示すように、平板状の第１のガラス１１と、マスクパターンＭが形成可能な遮光層Ｍ０の形成される第２のガラス１２と第２の裏ガラス５２とが剥離可能として直接接合されてマスクブランクス用のガラス基板とされるとともに、第１のガラス１１と第２のガラス１２との貼り合わせ面１３に流体を注入して剥離するとともに、第１のガラス１１と第２の裏ガラス５２との貼り合わせ面５３に流体を注入して剥離するための注入部５４が、貼り合わせ面１３と貼り合わせ面５３との間を結ぶように第１のガラス１１の厚さ方向に貫通する貫通孔と、この貫通孔の中央から端面１１ａまで連通する貫通孔からなるＴ字状として設けられている。
【０１５２】
本実施形態において、注入部５４は第１のガラス１１にＴ字状として３方向に貫通するように設けられる。
注入部５４は、図２７（ａ）に示すように、貼り合わせ面１３側の開口５４ｂがマスクパターンＭのない周縁部１５に配置されるとともに、矩形輪郭とされた第１のガラス１１におけるいずれか一辺の中央位置に配置されている。また注入部５４は、貼り合わせ面５３側の開口５４ｄが、平面視して開口５４ｂと重なる位置に配される。
【０１５３】
また注入部５４は、図２７（ｂ）に示すように、開口５４ｄと開口５４ｂとを連通して第１のガラス１１の厚さ方向全長に亘る貫通孔と、この貫通孔の開口５４ｄと開口５４ｂとの厚さ方向中央位置から第1のガラス１１の主面と平行な方向で、第１のガラス１１の中心から外縁に向かう径方向として貼り合わせ面１３の面に方向と平行な向きに延在して端面１１ａの横開口５４ｃまで連通するように設けられ、この横開口５４ｃは、矩形輪郭とされた第１のガラス１１における開口５４ａの設けられた一辺に対応した端面１１ａに配置されている。
【０１５４】
また、注入部５４は、図２に示した第１実施形態に対応して、注入部５４から流体を注入する際に、この注入ノズルＮを当接する注入部５４の開口５４ａが、図２７（ｂ）に示すように、ノズルＮの先端Ｎ１形状に対応して密閉可能なように拡径されかつノズルＮの先端Ｎ１形状に対応した凹形状とされることができる。
【０１５５】
本実施形態に係るマスクブランクス１０は、端面１１ａに設けられた注入部５４の開口５４ａに当接させたノズルＮにより流体を注入することで、横開口５４ｃから分岐した注入部５４内部で２方向に分岐した貫通孔に沿って流体が分かれて、開口５４ｄと開口５４ｂとに到達する。これにより、端面１１ａの注入部５４から貼り合わせ面１３および貼り合わせ面５３に流体を注入することで、容易に第１のガラス１１と第２のガラス１２とを剥離するとともに、第１のガラス１１と第２の裏ガラス５２とを剥離して分離することができる。
【０１５６】
注入部５４が、図４に示した第１実施形態に対応して、矩形輪郭とされた第１のガラス１１におけるいずれか一辺の中央位置の端面１１ａに配置されていることにより、注入工程において注入された流体が、貼り合わせ面１３および貼り合わせ面５３において注入部５４を中心として略円形に拡大して拡がってゆき、第１のガラス１１と第２のガラス１２との剥離した部分が増大してゆくとともに、第１のガラス１１と第２の裏ガラス５２との剥離した部分が増大してゆく。
【０１５７】
また、図５に示した第１実施形態に対応して、注入部５４が、矩形輪郭とされた第１のガラス１１におけるいずれか一の角付近となる位置に配置されていることにより、図６に示した第１実施形態に対応して、第１のガラス１１の法線方向と回転軸線とするスピン回転による洗浄工程にマスクブランクス１０を供した場合には、この注入部５４内の洗浄液に起因する影響が小さくなるため好ましい。
【０１５８】
さらに、本実施形態に係るマスクブランクス１０は、図２，図６に示した第１実施形態に対応して、第１のガラス１１の法線方向と回転軸線とするスピン回転による洗浄工程において、マスクブランクス１０を矢印ｓｐ方向に回転させた場合に、注入部５４内の洗浄液が回転によって容易に排出可能なように、貼り合わせ面１３側の開口５４ｂから横開口３４ｃに向かって回転方向に合わせて注入部３４を傾斜させるとともに、貼り合わせ面５３側の開口５４ｄから横開口３４ｃに向かって回転方向に合わせて注入部３４を傾斜させることができる。
【０１５９】
さらに、本実施形態に係るマスクブランクス１０は、図６に示した第１実施形態に対応して、第１のガラス１１の法線方向と回転軸線とするスピン回転による洗浄工程において、
回転速度等、洗浄条件に対応して、横開口５４ｃを内部から開口５４ａに向かって、回転方向に合わせて傾斜させて、その傾斜方向をθの範囲とすることが可能である。ここで、角度θは回転ｓｐ方向に対して、後方に向かうように設定することができる。
【０１６０】
本実施形態に係るマスクブランクス１０は、図７に示した第１実施形態に対応して、矩形輪郭とされた第１のガラス１１における注入部３４が配置されている辺の端面１１ａを下側位置として洗浄液に浸漬することで、端面１１ａに位置する開口３４ａが下向きに開口した状態で洗浄液に浸漬するため、洗浄液による影響をより一層低減することが可能となる。
【０１６１】
注入部５４は、図２７に概略示すように、図１７〜図２５に示した第３実施形態と同様に、端面１１ａの開口５４ａにノズルＮを当接して流体を注入するものとされる。
【０１６２】
本実施形態に係るマスクブランクス１０、フォトマスク１０は、図２７に示すように、第２のガラス１２および第２の裏ガラス５２を１工程の注入処理によって同時に剥離して、
第１のガラス１１を容易に再生することが可能となる。なお、剥離工程においては、図２１（ｂ），図２２（ｂ）に示した第３実施形態に対応して、ガラス１１，１２，５２を立位として保持具Ｈ３，Ｈ４による保持、ノズルＮによる注入、保持具Ｈ１による剥離をおこなうことが好ましい。
【０１６３】
洗浄及び乾燥時には、注入部５４をマスクパターンＭが設けられる表面に設けるよりも、厚板ガラス１１の端面１１ａに設けることで、ガラス基板１０表面に液滴が生じないようにすることができる。
【０１６４】
本実施形態において、注入部５４における横開口５４ｃは、端面１１ａ側から見た輪郭は略円形とされており、周縁部１５の幅寸法以下の長さとして、端面１１ａから平面視した第１のガラス１１中心方向に形成された一端の開口した孔部とされている。
【０１６５】
本実施形態では、上記の実施形態における作用効果と同等の効果を奏するとともに、注入部５４が端面１１ａから厚さ方向の貼り合わせ面１３位置と貼り合わせ面５３位置とにまで連通することで、分離工程Ｓ０９をより効率的におこなうことができるためフォトマスクの再生をおこなうことが容易になる。
【０１６６】
以下、本発明に係るマスクブランクス、フォトマスクの第６実施形態を、図面に基づいて説明する。
【０１６７】
本実施形態において上述した第５実施形態と異なるのは、注入部６４が貼り合わせ面１３および貼り合わせ面５３用に、それぞれ別々に設けられた点であり、これ以外の対応する構成要素に関しては、同一の符号を付してその説明を省略する。
図２８は、本実施形態におけるマスクブランクス、フォトマスクを示す断面図である。
【０１６８】
本実施形態におけるマスクブランクス１０は、図２８に示すように、平板状の第１のガラス１１と、マスクパターンＭが形成可能な遮光層Ｍ０の形成される第２のガラス１２と第２の裏ガラス５２とが剥離可能として直接接合されてマスクブランクス用のガラス基板とされるとともに、第１のガラス１１と第２のガラス１２との貼り合わせ面１３に流体を注入して剥離する注入部６４Ａが、端面１１ａに連通するように設けられるとともに、第１のガラス１１と第２の裏ガラス５２との貼り合わせ面５３に流体を注入して剥離するための注入部６４Ｂが、端面１１ａまで連通するように設けられる。
【０１６９】
注入部６４Ａ，６４Ｂはいずれも、図２８に概略示すように、図１７〜図２５に示した第３実施形態と同様に、端面１１ａの開口６４Ａａ，６４ＢａにノズルＮを当接して流体を注入するものとされる。注入部６４Ａ，６４Ｂはそれぞれ、分離されているので、第１のガラス１１と第２のガラス１２との貼り合わせ面１３に流体を注入して剥離する工程と、第１のガラス１１と第２の裏ガラス５２との貼り合わせ面５３に流体を注入して剥離する工程とを、別々におこなうことができる。
【０１７０】
以下、本発明に係るマスクブランクス、フォトマスクの第７実施形態を、図面に基づいて説明する。
【０１７１】
本実施形態において上述した第６実施形態と異なるのは、注入部６４が貼り合わせ面１３および貼り合わせ面５３用に、それぞれ別々に設けられた点であり、これ以外の対応する構成要素に関しては、同一の符号を付してその説明を省略する。
図２９は、本実施形態におけるマスクブランクス、フォトマスクを示す断面図である。
【０１７２】
本実施形態におけるマスクブランクス１０は、図２９に示すように、平板状の第１のガラス１１と、マスクパターンＭが形成可能な遮光層Ｍ０の形成される第２のガラス１２と第２の裏ガラス５２とが剥離可能として直接接合されてマスクブランクス用のガラス基板とされるとともに、第１のガラス１１と第２のガラス１２との貼り合わせ面１３に流体を注入して剥離する注入部６４Ａが、端面１１ａに連通するように設けられるとともに、第１のガラス１１と第２の裏ガラス５２との貼り合わせ面５３に流体を注入して剥離するための注入部６４Ｂが、端面１１ａまで連通するように設けられる。
【０１７３】
注入部６４Ａ，６４Ｂはいずれも、図２９に概略示すように、図２５（ａ）に示した第３実施形態と同様に、端面１１ａの開口６４Ａａ，６４ＢａにノズルＮを当接して流体を注入するものとされる。注入部６４Ａは、開口６４Ａａから開口６４Ａｂに連通する傾斜孔とされ、注入部６４Ｂは、開口６４Ｂａから開口６４Ｂｂに連通する傾斜孔とされている。注入部６４Ａ，６４Ｂはそれぞれ、分離されているので、第１のガラス１１と第２のガラス１２との貼り合わせ面１３に流体を注入して剥離する工程と、第１のガラス１１と第２の裏ガラス５２との貼り合わせ面５３に流体を注入して剥離する工程とを、別々におこなうことができる。
【０１７４】
以下、本発明に係るマスクブランクス、フォトマスクの第８実施形態を、図面に基づいて説明する。
【０１７５】
本実施形態において上述した第６実施形態と異なるのは、注入部７４Ａ，７４Ｂが貼り合わせ面１３および貼り合わせ面５３用に、それぞれ別々に設けられた点であり、これ以外の対応する構成要素に関しては、同一の符号を付してその説明を省略する。
図３０は、本実施形態におけるマスクブランクス、フォトマスクを示す断面図である。
【０１７６】
本実施形態におけるマスクブランクス１０は、図３０に示すように、平板状の第１のガラス１１と、マスクパターンＭが形成可能な遮光層Ｍ０の形成される第２のガラス１２と第２の裏ガラス５２とが剥離可能として直接接合されてマスクブランクス用のガラス基板とされるとともに、第１のガラス１１と第２のガラス１２との貼り合わせ面１３に流体を注入して剥離する注入部７４Ａが、第２のガラス１２表面に連通するように設けられるとともに、第１のガラス１１と第２の裏ガラス５２との貼り合わせ面５３に流体を注入して剥離するための注入部７４Ｂが、第２の裏ガラス５２表面まで連通するように設けられる。
【０１７７】
注入部７４Ａ，７４Ｂはいずれも、図３０に概略示すように、図１（ｂ）に示した第１実施形態と同様に、第２のガラス１２，５２表面の開口７４ＢｂにノズルＮを当接して流体を注入するものとされる。注入部７４Ａは、開口７４Ａａから開口７４Ａｂに連通する貫通孔とされ、注入部７４Ｂは、開口７４Ｂａから開口７４Ｂｂに連通する貫通孔とされている。注入部７４Ａ，７４Ｂはそれぞれ、分離されているので、第１のガラス１１と第２のガラス１２との貼り合わせ面１３に流体を注入して剥離する工程と、第１のガラス１１と第２の裏ガラス５２との貼り合わせ面５３に流体を注入して剥離する工程とを、別々におこなうことができる。
【０１７８】
以下、本発明に係るマスクブランクス、フォトマスクの第９実施形態を、図面に基づいて説明する。
【０１７９】
本実施形態において上述した第７実施形態と異なるのは、注入部８４Ａ，８４Ｂが貼り合わせ面１３および貼り合わせ面５３用に、それぞれ別々に設けられた点であり、これ以外の対応する構成要素に関しては、同一の符号を付してその説明を省略する。
図３１は、本実施形態におけるマスクブランクス、フォトマスクを示す断面図である。
【０１８０】
本実施形態におけるマスクブランクス１０は、図３１（ａ）に示すように、平板状の第１のガラス１１と、マスクパターンＭが形成可能な遮光層Ｍ０の形成される第２のガラス１２と第２の裏ガラス５２とが剥離可能として直接接合されてマスクブランクス用のガラス基板とされるとともに、第１のガラス１１と第２のガラス１２との貼り合わせ面１３に流体を注入して剥離する注入部８４Ａが、第２のガラス１２表面に連通するように設けられるとともに、第１のガラス１１と第２の裏ガラス５２との貼り合わせ面５３に流体を注入して剥離するための注入部８４Ｂが、第２の裏ガラス５２表面まで連通するように設けられる。
【０１８１】
注入部８４Ａ，８４Ｂはいずれも、図３１に概略示すように、図２６（ｂ）に示した第４実施形態と同様に、第２のガラス１２，５２表面の開口８４ＢｂにノズルＮを当接して流体を注入するものとされる。注入部７８Ａは、開口８４Ａａから開口８４Ａｂに連通する貫通孔とされ、注入部８４Ｂは、開口８４Ｂａから開口８４Ｂｂに連通する貫通孔とされている。注入部８４Ａ，８４Ｂはそれぞれ、分離されているので、第１のガラス１１と第２のガラス１２との貼り合わせ面１３に流体を注入して剥離する工程と、第１のガラス１１と第２の裏ガラス５２との貼り合わせ面５３に流体を注入して剥離する工程とを、別々におこなうことができる。なお、注入部８４Ａ，８４Ｂはいずれも、第１のガラス１１にのみ溝を設けたものとすることもできる。
【０１８２】
また、本実施形態におけるマスクブランクス１０は、図３１（ｂ）に示すように、第１のガラス１１と第２のガラス１２との貼り合わせ面１３に流体を注入して剥離する注入部８４Ａが、貼り合わせ面１３よりも第１のガラス１１側のみに設けられた溝８４Ａｇとして設けられることができる。
【０１８３】
また、本実施形態におけるマスクブランクス１０は、図３１（ｃ）に示すように、第１のガラス１１と第２のガラス１２との貼り合わせ面１３に流体を注入して剥離する注入部８４Ａが、貼り合わせ面１３よりも第２のガラス１２側のみに設けられた溝８４Ａｈとして設けられることができる。
【０１８４】
また、本実施形態におけるマスクブランクス１０は、図３１（ｄ）に示すように、第１のガラス１１と第２のガラス５２との貼り合わせ面５３に流体を注入して剥離する注入部８４Ａが、貼り合わせ面５３よりも第１のガラス１１側のみに設けられた溝８４Ｂｇとして設けられることができる。
【０１８５】
また、本実施形態におけるマスクブランクス１０は、図３１（ｅ）に示すように、第１のガラス１１と第２のガラス５２との貼り合わせ面５３に流体を注入して剥離する注入部８４Ａが、貼り合わせ面５３よりも第２のガラス１２側のみに設けられた溝８４Ｂｈとして設けられることができる。
【０１８６】
さらに、これら溝８４Ａｇ、溝８４Ａｈ、溝８４Ｂｇ、溝８４Ｂｈを適宜組み合わせて設けることもできる。
【符号の説明】
【０１８７】
１０…マスクブランクス、フォトマスク
１１…第１のガラス
１２，５２…第２のガラス
１３，５３…貼り合わせ面
１４、２４，３４，４４，５４，６４Ａ，６４Ｂ，８４Ａ，８４Ｂ，７４Ａ，７４Ｂ…
１５…周縁部
１１a…端面
Ｃ０…フォトレジスト
Ｓ…樹脂フィルム
Ｈ１，Ｈ２，Ｈ３，Ｈ４…保持具
Ｎ…ノズル
Ｍ…マスクパターン
Ｍ０…遮光層
【図１】
0006618695.tif 000002
【図２】
0006618695.tif 000003
【図３】
0006618695.tif 000004
【図４】
0006618695.tif 000005
【図５】
0006618695.tif 000006
【図６】
0006618695.tif 000007
【図７】
0006618695.tif 000008
【図８】
0006618695.tif 000009
【図９】
0006618695.tif 000010
【図１０】
0006618695.tif 000011
【図１１】
0006618695.tif 000012
【図１２】
0006618695.tif 000013
【図１３】
0006618695.tif 000014
【図１４】
0006618695.tif 000015
【図１５】
0006618695.tif 000016
【図１６】
0006618695.tif 000017
【図１７】
0006618695.tif 000018
【図１８】
0006618695.tif 000019
【図１９】
0006618695.tif 000020
【図２０】
0006618695.tif 000021
【図２１】
0006618695.tif 000022
【図２２】
0006618695.tif 000023
【図２３】
0006618695.tif 000024
【図２４】
0006618695.tif 000025
【図２５】
0006618695.tif 000026
【図２６】
0006618695.tif 000027
【図２７】
0006618695.tif 000028
【図２８】
0006618695.tif 000029
【図２９】
0006618695.tif 000030
【図３０】
0006618695.tif 000031
【図３１】
0006618695.tif 000032